(57)【要約】【課題】屋根に上ることなく比較的簡単に屋根の雪を下ろすことができ、また使用者の経済的な負担を大幅に軽減することが可能な雪下ろし装置を提供する。【解決手段】雪下ろし装置１は、屋根５１の棟部分５２に配設され、両端側が回転可能に支持された棟部ローラ２と、屋根５１の軒部分５３に配設され、両端側が回転可能に支持された軒部ローラ３と、棟部ローラ２及び軒部ローラ３の間に巻回されて屋根５１の上に張設される無端状のシート５と、手動操作によって回転するハンドル７と、ハンドル７の回転運動を軒部ローラ３に伝達し、シート５を周回移動させる回転伝達機構８とを備える。【選択図】図１
0003170658.tif 000002
【実用新案登録請求の範囲】
【請求項１】
屋根の棟部分に配設され、両端側が回転可能に支持された棟部ローラと、
前記屋根の軒部分に配設され、両端側が回転可能に支持された軒部ローラと、
前記棟部ローラ及び前記軒部ローラの間に巻回されて屋根の上に張設される無端状のシートと、
手動操作によって回転するハンドルと、
該ハンドルの回転運動を前記棟部ローラまたは前記軒部ローラに伝達し、前記シートを周回移動させる回転伝達機構と
を具備することを特徴とする雪下ろし装置。
【請求項２】
前記棟部ローラ及び前記軒部ローラの間に配設され、両端側が回転可能に支持された中間ローラと、
前記棟部ローラ、前記中間ローラ、及び前記軒部ローラにおける夫々の端部側に設けられた歯付プーリーと、
前記棟部ローラの前記歯付プーリーと前記軒部ローラの前記歯付プーリーとの間に巻回されるとともに前記中間ローラの前記歯付プーリーに噛合する歯付ベルトと
をさらに具備することを特徴とする請求項１に記載の雪下ろし装置。
【請求項３】
前記棟部ローラを回転可能に支持する棟側支持部と、
該棟側支持部との間に間隙を有して配置され、前記軒部ローラを回転可能に支持する軒側支持部と、
前記棟側支持部及び前記軒側支持部を連結するとともに、前記棟側支持部と前記軒側支持部との間隔を調整可能とする連結部材と
をさらに具備することを特徴とする請求項１または請求項２に記載の雪下ろし装置。
【考案の詳細な説明】
【技術分野】
【０００１】
本考案は、雪下ろし装置に関するものであり、特に、屋根に上って作業をしなくても屋根に積もった雪を下ろすことのできる雪下ろし装置に関するものである。
【背景技術】
【０００２】
豪雪地域では、家屋が雪の重みで倒壊するのを防ぐため、屋根に積もった雪を下ろす作業（いわゆる「雪下ろし作業」）を行う必要がある。この作業は、屋根に上り、スコップなどで屋根の雪をかき落とすのが通常である。
【０００３】
ところが、この作業は、人力に頼ることとなるため重労働であり、また滑りやすい屋根の上での作業となるため危険でもあり、毎年、作業中に屋根から転落する事故が報道されている。なお、豪雪地域では、専門の業者によって雪下ろし作業が行われることもあるが、度重なる除雪によって経済的な負担が大きくなるため、高齢者自らが屋根に上り、雪下ろし作業を行う場合が少なくない。
【０００４】
ところで、屋根に雪が積もらないように、屋根の雪を融かす融雪装置が提案されている。具体的には、屋根材にヒータを埋設したものや、屋根に放熱パネルを敷設したものが知られている（たとえば特許文献１参照）。
【考案の概要】
【考案が解決しようとする課題】
【０００５】
しかし、この種の融雪装置によれば、屋根に雪が積もらないように長期間に渡って稼動させ続けなければならず、多くの電力や灯油が必要となっていた。特に、屋根全体を融雪しようとすると、膨大なランニングコストが必要となり、使用者の経済的な負担が極めて大きくなっていた。
【０００６】
そこで、本考案は、上記の実状に鑑み、屋根に上ることなく比較的簡単に屋根の雪を下ろすことができ、また使用者の経済的な負担を大幅に軽減することが可能な雪下ろし装置の提供を課題とするものである。
【課題を解決するための手段】
【０００７】
本考案にかかる雪下ろし装置は、
「屋根の棟部分に配設され、両端側が回転可能に支持された棟部ローラと、
前記屋根の軒部分に配設され、両端側が回転可能に支持された軒部ローラと、
前記棟部ローラ及び前記軒部ローラの間に巻回されて屋根の上に張設される無端状のシートと、
手動操作によって回転するハンドルと、
該ハンドルの回転運動を前記棟部ローラまたは前記軒部ローラに伝達し、前記シートを周回移動させる回転伝達機構と
を具備する」
ことを特徴とするものである。
【０００８】
ここで、「屋根の棟」とは、一般に屋根の最も高い所、すなわち二つの屋根面が接合する部分であるが、本考案の「棟部分」は棟よりも少し下の屋根面を含むものである。また、「屋根の軒」とは、一般に屋根の下端で、家屋の壁面より外に突出している部分であるが、本考案の「軒部分」は、軒よりも少し上の屋根面または軒先よりもさらに下方の位置を含むものである。
【０００９】
また、「棟部ローラ」及び「軒部ローラ」の長さは特に限定されるものではないが、屋根面の横幅に略一致する長さとすることが好ましく、これによれば、屋根面全体に亘る領域を棟部ローラ及び軒部ローラによって囲む（挟む）ことが可能になり、屋根面全体を雪下ろしの対象とすることが可能となる。
【００１０】
また、「シート」は、棟部ローラ及び軒部ローラの間に巻回される無端状のものであるが、棟部ローラ及び軒部ローラに対して取外し可能に装着してもよい。具体的には、一枚のシートの一端側と他端側とをファスナーを介して結合することで無端状に構成してもよい。これによれば、ファスナーを開くことにより、シートの一端側及び他端側が分離され、棟部ローラ及び軒部ローラからシートを取外すことが可能になる。つまり、例えば降雪期以外のときはシートを外し、降雪期の直前にシートを装着するような使い方が可能になる。
【００１１】
また、「ハンドル」は、建物の壁面、特に作業者の手が届く高さで、且つ軒部ローラが配設された軒部分の下方を除く場所（すなわち雪が落ちない場所）に配置することが好ましい。
【００１２】
さらに「回転伝達機構」の構成は特に限定されるものではないが、ハンドルに接続されハンドルの手動操作によって回転する駆動プーリーと、軒部ローラの一端側に接続され、軒部ローラと一体的に回転する軒部プーリーと、駆動プーリー及び軒部プーリーの間に巻回され、駆動プーリーの回転を軒部プーリーに伝達する伝達ベルトと、を備えて構成することができる。
【００１３】
本考案によれば、屋根の上にシートが張設されているため、降雪時には、シートの上に雪が積もることとなる。そこで、シート上にある程度雪が積もった際、ハンドルを手動で一定の方向に回転させる。すると、ハンドルの回転運動が回転伝達機構を介して棟部ローラまたは軒部ローラに伝達され、これらのローラが回転する。また、棟部ローラ及び軒部ローラの間には、無端状のシートが巻回されているため、棟部ローラまたは軒部ローラの回転に伴ってシートがエンドレス状に周回移動する。具体的には、シートの上面が棟部側から軒部側に移動するように周回する。これにより、シート上に積もった雪は、シートとともに屋根面に沿って軒側へ移動しつつ、軒部ローラ側から押出されて落下する。
【００１４】
このように、ハンドルの回転運動を棟部ローラまたは軒部ローラに伝達し、シートを周回移動させるため、屋根に上ることなく、しかも電力や灯油等のエネルギーを消費することなく、積もった雪を比較的簡単に下ろすことが可能になる。また、ハンドルの操作によってシートがエンドレス状に周回移動するため、シートを初期位置に戻すなどの操作も不要となり、雪下ろし作業にかかる作業者の負担を大幅に低減できる。
【００１５】
また、本考案の雪下ろし装置において、「前記棟部ローラ及び前記軒部ローラの間に配設され、両端側が回転可能に支持された中間ローラと、
前記棟部ローラ、前記中間ローラ、及び前記軒部ローラにおける夫々の端部側に設けられた歯付プーリーと、
前記棟部ローラの前記歯付プーリーと前記軒部ローラの前記歯付プーリーとの間に巻回されるとともに前記中間ローラの前記歯付プーリーに噛合する歯付ベルトと
をさらに具備する」
構成とすることができる。
【００１６】
ここで、「中間ローラ」は一本のみでもよいが、複数本の中間ローラを所定の間隔で配設してもよい。また、「歯付プーリー」とは、周面に歯が形成されたプーリーであり、「歯付ベルト」に形成された歯型と噛み合わせることにより、スリップすることなく回転を伝えることが可能なものである。
【００１７】
本考案によれば、棟部ローラと軒部ローラとの間に、一本または複数本の中間ローラが配設されているため、シートに雪の荷重が加わってもシートの撓みを抑制でき、ひいてはハンドルの操作によってシートを円滑に周回移動させることが可能になる。また、棟部ローラ、中間ローラ、及び軒部ローラにおける夫々の端部側（一端側または両端側）には、歯付プーリーが設けられており、これらの歯付プーリーが歯付ベルトによって連結されている。このため、ハンドルの回転運動が、棟部ローラ、中間ローラ、及び軒部ローラに夫々伝達され同じタイミングで回転する。したがって、シートに加わる駆動力が増え、荷重が大きい場合でも、シートを確実に周回移動させることができる。また、全てのローラが駆動するため、いずれかのローラとシートとの間でスリップが生じても、残りのローラによってシートを周回移動させることができる。
【００１８】
また、本考案の雪下ろし装置において、「前記棟部ローラを回転可能に支持する棟側支持部と、
該棟側支持部との間に間隙を有して配置され、前記軒部ローラを回転可能に支持する軒側支持部と、
前記棟側支持部及び前記軒側支持部を連結するとともに、前記棟側支持部と前記軒側支持部との間隔を調整可能とする連結部材と
をさらに具備する」構成とすることができる。
【００１９】
本考案によれば、棟部ローラは棟側支持部によって回転可能に支持され、軒部ローラは軒側支持部によって回転可能に支持されている。また、軒側支持部及び棟側支持部は、連結部材を介して連結されており、棟側支持部と軒側支持部との間隔を調整することが可能になっている。したがって、棟部ローラ及び軒部ローラの間に巻回されたシートの張力を調整することが可能になる。また、例えば、一枚のシートの一端側と他端側とをファスナーを介して結合することで無端状のシートを構成するものでは、棟側支持部と軒側支持部との間隔、すなわち棟部ローラ及び軒部ローラの間隔を小さくした状態でシートの着脱を行い、装着した後、棟部ローラと軒部ローラとの間隔を大きくすることにより、シートに張力を加えることが可能になる。
【考案の効果】
【００２０】
このように、本考案の雪下ろし装置によれば、屋根に上ることなく比較的簡単に屋根の雪を下ろすことができる。また、電力や灯油等の資源を用いないため、使用者の経済的な負担を大幅に軽減することができる。
【図面の簡単な説明】
【００２１】
【図１】本実施形態の雪下ろし装置を示す斜視図である。
【図２】雪下ろし装置の取付構造を示す説明図である。
【図３】雪下ろし装置における固定支持部の構成を示す分解斜視図である。
【図４】（ａ）は雪下ろし装置における連結調整機構を示す斜視図であり、（ｂ）はシートを示す斜視図である。
【考案を実施するための形態】
【００２２】
以下、本実施形態の雪下ろし装置１について、図１乃至図４に基づき説明する。なお、図１、図２、及び図４（ａ）では説明の便宜上、シート５を透明化し二点鎖線で示している。また、本実施形態に記載された「右」及び「左」は、雪下ろし装置１が設置された屋根５１を正面から見た場合の方向である。
【００２３】
本例の雪下ろし装置１は、図１に示すように、夫々の屋根面５１ａ毎に設置されるものであり、屋根５１の棟部分５２に配設される棟部ローラ２と、屋根５１の軒部分５３に配設される軒部ローラ３と、棟部ローラ２及び軒部ローラ３の間に配設される複数本（本例では四本）の中間ローラ４と、棟部ローラ２及び軒部ローラ３の間に巻回されて屋根５１の上に張設される無端状のシート５とを、具備している。また、雪下ろし装置１は、家屋５０の壁面５４に取付けられるハンドル７と、ハンドル７の回転運動を軒部ローラ３に伝達する回転伝達機構８と、軒部ローラ３の回転に連動して棟部ローラ２及び中間ローラ４を回転させる連動機構９と、を備えている。さらに、雪下ろし装置１は、棟部ローラ２及び中間ローラ４の両端側を回転可能に支持する固定支持部１１と、軒部ローラ３の両端側を回転可能に支持する軒側支持部１２と、固定支持部１１及び軒側支持部１２を連結するとともに、固定支持部１１と軒側支持部１２との間隔を調整可能とする連結調整機構１３とを備えている。以下、各構成について詳細に説明する。
【００２４】
棟部ローラ２、軒部ローラ３、及び複数の中間ローラ４（以下、まとめて「各ローラ２，３，４」と称す）は、互いに同一形状である丸棒状の部材であり、互いに平行に配設されている。また、各ローラ２，３，４の左右両端には、小径の軸芯部１４（図２参照）が突出して形成されている。また、各ローラ２，３，４の長さは屋根５１の横幅に略一致しており、屋根面５１ａ全体が、棟部ローラ２及び軒部ローラ３によって挟まれた形態となっている。なお、各ローラ２，３，４の材質は特に限定されるものではないが、本例では金属で形成されている。
【００２５】
シート５は、合成樹脂製の防水シートからなり、棟部ローラ２及び軒部ローラ３の間に巻回されている。また、図２に示すように、シート５の横幅は各ローラ２，３，４の長さよりも長く、後述する歯付ベルト２４を覆う大きさとなっている。また、図４（ｂ）に示すように、シート５の周回方向における一端側及び他端側には、互いに噛合う金属製または合成樹脂製の歯１５ａを有するファスナー１５が設けられており、金具（図示しない）をすべらせて、歯１５ａ同士を互いに噛合わせることで無端状となり、一方、金具をすべらせて、噛合った歯１５ａを分離させることで、棟部ローラ２及び軒部ローラ３からシート５を取外すことが可能になっている。
【００２６】
ハンドル７は、図１に示すように、手動操作によって回転するものであり、屋根５１の雪が落下するおそれのない壁面５４、特に作業者の手が届く高さで、且つ落下する雪の様子を監視可能な位置に配設されている。なお、ハンドル７には、収容可能な折畳み式のレバー７ａが突設されている。
【００２７】
回転伝達機構８は、ハンドル７に接続されハンドル７の手動操作によって回転する駆動プーリー１７と、軒部ローラ３の一端側に接続され、軒部ローラ３と一体的に回転する軒部プーリー１８と、駆動プーリー１７及び軒部プーリー１８の間に巻回され、駆動プーリー１７の回転を軒部プーリー１８に伝達する伝達ベルト１９と、を備えて構成されている。
【００２８】
連動機構９は、棟部ローラ２の軸芯部１４に外嵌された一対の棟部歯付プーリー２１と、軒部ローラ３の軸芯部１４に外嵌された一対の軒部歯付プーリー２２と、中間ローラ４の軸芯部１４に外嵌された一対の中間歯付プーリー２３と、棟部歯付プーリー２１及び軒部歯付プーリー２２の間に巻回され中間歯付プーリー２３に噛合する一対の歯付ベルト２４と、を備えて構成されている。
【００２９】
固定支持部１１は、棟部ローラ２及び中間ローラ４の左右両側を回転可能に支持するものであり、屋根５１の縁部に沿って配設された一対の支持杆２６を備えている。図２に示すように、夫々の支持杆２６は、屋根５１の両側に形成された破風板５５にＬ字形の取付具３２を介して取付けられており、固定状態で配設されている。また、図３に示すように、支持杆２６の内面側には凹部２７が形成されており、棟部ローラ２及び中間ローラ４の軸芯部１４を軸支するベアリング２８が収容されている。なお、ベアリング２８は凹部２７の上方から挿入され、押え部材２９によって支持されている。つまり、押え部材２９を通してボルト３０を凹部２７内に形成された雌螺子部３１に螺合させることで、ベアリング２８が挟持されている。ここで、固定支持部１１が本考案の棟側支持部に相当する。
【００３０】
図４（ａ）に示すように、軒側支持部１２は、軒部ローラ３の左右両側を回転可能に支持するものであり、支持杆２６との間に間隙を有して配置されるとともに、連結調整機構１３によって連結されている。なお、図示しないが、軒側支持部１２の内面側には、支持杆２６と同じように凹部が形成されており、軒部ローラ３の軸芯部１４を軸支するベアリングが収容されている。
【００３１】
連結調整機構１３は、夫々の支持杆２６の上面及び下面に設けられ内部に雌ネジ部（図示しない）が形成された固定側案内部３４と、軒側支持部１２の上面及び下面に設けられ内部に貫通孔（図示しない）が形成された可動側案内部３５と、可動側案内部３５の貫通孔を挿通し、固定側案内部３４の雌ネジ部に螺合された送りネジ３６と、を備えている。なお、送りネジ３６は、可動側案内部３５に対して回転可能に支持されており、送りネジ３６を回転させることにより、可動側案内部３５及びそれに接続された軒側支持部１２が、送りネジ３６の頭部３６ａとともに前後方向に平行移動し、支持杆２６との間隔が変化するようになっている。ここで、連結調整機構１３が本考案の連結部材に相当する。
【００３２】
次に、雪下ろし装置１の使用方法について説明する。まず、降雪期に入る前に、シート５を装着する。具体的には、一枚のシート５を棟部ローラ２及び軒部ローラ３に掛け回し、シート５の一端側及び他端側に設けられたファスナー１５を閉じる。これにより、シート５は無端状となり、棟部ローラ２と軒部ローラ３との間で巻回された状態となる。その後、連結調整機構１３の送りネジ３６を回転させ、支持杆２６と軒側支持部１２との間隔を大きくする。すると、中間ローラ４と軒部ローラ３との間隔が広がりシート５及び歯付ベルト２４が張設された状態となる。
【００３３】
一方、シート５上にある程度雪が積もった場合には、ハンドル７を手動で一定の方向に回転させる。すると、ハンドル７の回転運動が、駆動プーリー１７、伝達ベルト１９、及び軒部プーリー１８を介して軒部ローラ３に伝達され、軒部ローラ３が回転する。また、棟部ローラ２、中間ローラ４、及び軒部ローラ３における夫々の両端側には、棟部歯付プーリー２１、中間歯付プーリー２３、及び軒部歯付プーリー２２が設けられており、これらの歯付プーリー２１，２３，２２が歯付ベルト２４によって連結されているため、ハンドル７の回転運動が、棟部ローラ２、中間ローラ４、及び軒部ローラ３に夫々伝達され同じタイミングで回転する。
【００３４】
これにより、棟部ローラ２と軒部ローラ３との間で巻回された無端状のシート５は、棟部ローラ２、軒部ローラ３、及び中間ローラ４の回転に伴ってエンドレス状に周回移動する。この結果、シート５上に積もった雪は、シート５とともに屋根面５１ａに沿って軒部分５３側へ移動しつつ、軒部ローラ３から押出されて落下する。
【００３５】
このように、本実施形態の雪下ろし装置１によれば、ハンドル７の回転運動を各ローラ２，３，４に伝達し、シート５を周回移動させるため、屋根５１に上ることなく、しかも電力や灯油等のエネルギーを消費することなく、積もった雪を比較的簡単に下ろすことができる。また、シート５がエンドレス状に周回移動するため、シート５を初期位置に戻すなどの操作も不要となり、雪下ろし作業にかかる作業者の負担を大幅に低減できる。
【００３６】
また、本実施形態の雪下ろし装置１によれば、棟部ローラ２と軒部ローラ３との間に、複数本の中間ローラ４が配設されているため、シート５に雪の荷重が加わってもシート５の撓みを抑制でき、ひいてはハンドル７の操作によってシート５を円滑に周回移動させることができる。
【００３７】
また、本実施形態の雪下ろし装置１によれば、連動機構９を備えることにより、シート５に加わる駆動力が増え、雪による荷重が大きい場合でも、シート５を確実に周回移動させることができる。また、全てローラ２，３，４が駆動ローラとなるため、シート５に対する摩擦抵抗が大きくなり、シート５及びローラ２，３，４間でのスリップを防止できる。
【００３８】
また、本実施形態の雪下ろし装置１によれば、シート５が着脱可能であるため、例えば降雪期以外のときシート５を取外すことにより、シート５の劣化を抑制することが可能となる。また、シート５とともに、ローラ２，３，４、歯付プーリー２１，２２，２３、及びベアリング２８も容易に取外すことができるため、内部の機構が露出されることによる見栄えの低下を抑制できる。
【００３９】
さらに、本実施形態の雪下ろし装置１によれば、連結調整機構１３を備えることにより、シート５の張力を調整することができ、またシート５の着脱を容易に行うことも可能になる。
【００４０】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００４１】
すなわち、上記実施形態では、連動機構９を、各ローラ２，３，４の両側に備えるものを示したが、いずれか一方の側のみに備えるようにしてもよい。ただし、上記実施形態のように左右両側に配置すれば、各ローラ２，３，４の両端に加わる力が等しくなり、各ローラ２，３，４のねじれが防止される。
【００４２】
また、上記実施形態では、ハンドル７の回転運動を軒部ローラ３に伝達するものを示したが、棟部ローラ２に伝達するようにしてもよい。ただし、上記実施形態のように屋根５１の最も低い部分に配置された軒部ローラ３に伝達することにより、伝達ベルト１９を極力短く構成することが可能になる。
【００４３】
また、上記実施形態では、棟部ローラ２及び中間ローラ４を、屋根５１に固定された支持杆２６によって回転可能に支持し、軒部ローラ３を、連結調整機構１３を介して配設された軒側支持部１２によって回転可能に支持するものを示したが、軒部ローラ３及び中間ローラ４を、屋根５１に固定された支持杆によって支持し、棟部ローラ２を、連結調整機構を介して配設された棟側支持部によって支持するようにしてもよい。つまり、中間ローラ４に対する棟部ローラ２の間隔を調整することにより、シート５に張力を加えるように構成してもよい。
【００４４】
さらに、上記実施形態では、雪下ろし装置１を夫々の屋根面５１ａ毎に設置するもの、すなわち屋根面５１ａ毎にハンドル７の操作が必要なものを示したが、例えば一つのハンドル７の回転運動を夫々の屋根面５１ａに配置された各軒部ローラ３に伝達し、複数のシート５の上に積もった雪を同時に下ろすようにしてもよい。ただし、夫々の屋根面５１ａから落下する雪の落下方向は互いに異なり一人での監視は困難となるため、安全性の点から言えば、上記実施形態のように、夫々の屋根面５１ａの雪下ろしを夫々別々に行う方が好ましい。
【符号の説明】
【００４５】
１  雪下ろし装置
２  棟部ローラ
３  軒部ローラ
４  中間ローラ
５  シート
７  ハンドル
８  回転伝達機構
１１  固定支持部（棟側支持部）
１２  軒側支持部
１３  連結調整機構（連結部材）
２１  棟部歯付プーリー（歯付プーリー）
２２  軒部歯付プーリー（歯付プーリー）
２３  中間歯付プーリー（歯付プーリー）
２４  歯付ベルト
５１  屋根
５２  棟部分
５３  軒部分
【先行技術文献】
【特許文献】
【００４６】
【特許文献１】特開２００２−１４７０６２
【図１】
0003170658.tif 000003
【図２】
0003170658.tif 000004
【図３】
0003170658.tif 000005
【図４】
0003170658.tif 000006